(57)【要約】【課題】  リフィールの破棄時において、樹脂製のリフィール本体と金属性のチップ部材との分離が容易にでき、それぞれの分別破棄を行うことのできるリフィール及びこのリフィールが用いられた筆記具を提供する。【解決手段】  筆記具の外装体として筒状に形成された軸本体に、着脱自在に取り付けられるリフィール２において、前記リフィールは、筆記材料を収容した樹脂製のリフィール本体７と、前記リフィール本体に連結されたペン先としての金属チップ部材１とを有し、前記ペン先に、リフィールの軸方向に対して４５度の方向から５Ｎ以上１５Ｎ以下の荷重が作用することによって、前記リフィール本体７と前記チップ部材１とを連結する連結部１０が、変形、破損し、前記リフィール本体７と前記金属製のチップ部材１とが分離する。【選択図】  図１
2006001047.tif 000002
【特許請求の範囲】
【請求項１】
筆記具の外装体として筒状に形成された軸本体内に、着脱自在に取り付けられるリフィールにおいて、
前記リフィールは、筆記材料を収容した樹脂製のリフィール本体と、前記リフィール本体に連結されたペン先としての金属製のチップ部材とを有し、
前記ペン先に、リフィール本体の軸方向に対して４５度の方向から５Ｎ以上１５Ｎ以下の荷重が作用することによって、前記リフィール本体と前記チップ部材とを連結する連結部が、変形、破損し、前記リフィール本体と前記金属製のチップ部材とが分離することを特徴とするリフィール。
【請求項２】
前記リフィール本体と前記チップ部材とを連結する連結部において、
前記チップ部材の外周面に段差部が形成され、または前記リフィール本体の内周面と前記チップ部材の外周面の両方に段差部が形成され、
前記チップ部材が前記リフィール本体に嵌入、連結されていることを特徴とする請求項１に記載されたリフィール。
【請求項３】
前記リフィール本体と前記チップ部材とを連結する連結部において、
前記リフィール本体には、チップ部材側端部から軸方向に沿って複数の溝部が形成されて、
前記チップ部材が前記リフィール本体に嵌入、連結されていることを特徴とする請求項１または請求項２に記載されたリフィール。
【請求項４】
前記リフィール本体と前記チップ部材とを連結する連結部において、
前記リフィール本体の先端部には、複数の切り欠き部が形成され、
前記チップ部材が前記リフィール本体に嵌入、連結されていることを特徴とする請求項１乃至請求項３のいずれかに記載されたリフィール。
【請求項５】
前記リフィール本体と前記チップ部材とを連結する連結部において、
前記チップ部材が前記リフィール本体に嵌入されて連結され、
前記チップ部材における軸方向の全長のうち、前記連結部により支持されている長さＡと、前記連結部における長さＢとの関係が、Ａ＜０．２５・Ｂであることを特徴とする請求項１乃至請求項３のいずれかに記載されたリフィール。
【請求項６】
前記リフィール本体は継手部材を備え、前記継手部材に前記チップ部材が連結する連結部において、
前記継手部材がポリプロピレンにより形成されることを特徴とする請求項１乃至請求項４のいずれかに記載されたリフィール。
【請求項７】
前記請求項１乃至請求項６のいずれかに記載されたリフィールが用いられた筆記具において、
前記軸本体の先端には貫通孔が形成され、
前記貫通孔から前記チップ部材の先端部が突出すると共に、チップ部材が前記貫通孔の側壁に支持され、リフィールが軸本体に対し固定されることを特徴とする筆記具。
【発明の詳細な説明】
【技術分野】
【０００１】
本発明は、リフィール及びこのリフィールが用いられた筆記具に関し、特に、筆記具の外装体として筒状に形成された軸本体内に着脱自在に取り付けられるリフィール及びこのリフィールが用いられた筆記具に関する。
【背景技術】
【０００２】
筆記具のうち、例えばボールペンは、外装体として筒状に形成された軸本体と、その内部に着脱自在に取り付けられたリフィールとを備えている。このリフィールは、その先端にペン先となるボールペンチップを有しており、リフィールを軸本体に装着した際、ボールペンチップが前記軸本体先端に形成された貫通孔から突出するように構成されている。
【０００３】
従来における、リフィールの構成について、説明する。図７に示すように、従来のリフィール２００は、ペン先において筆記ボール２０１ａを有する金属製のボールペンチップ２０１と、筆記材料であるインク２０３を収容した樹脂製のリフィール本体２０２とが嵌合等により連結して構成される。尚、前記リフィール本体２０２は、図示するように、インク２０３を収容するチューブ体２０４と継手部材２０５とが嵌合して構成される場合、あるいは、それらが一体形成されている場合がある。
【０００４】
図８（ａ）は、図７に示す継手部材２０５とボールペンチップ２０１との連結部の拡大図、図８（ｂ）は、その断面図である。図８（ｂ）に示すように従来においては、ボールペンチップ２０１と継手部材２０５との連結部において、その接触面積が大きく確保されている。また、連結部において継手部材２０５がチップ部材２０１を覆う部位２０５ａの厚さ寸法が十分に大きく確保されている。
すなわち、従来は、このように連結部分が形成されることにより、チップ部材２０１とリフィール本体２０２との連結が強固になされていた。
【発明の開示】
【発明が解決しようとする課題】
【０００５】
ところで、図７に示したリフィール２００において、チップ部材２０１とリフィール本体２０２とが強固に連結され、リフィールの分解を容易に行えないため、廃棄時においては分別廃棄が困難であるという問題があった。すなわち、金属製のチップ部材２０１と、樹脂製のリフィール本体２０２とを分離し、別々に廃棄するという処理が困難であった。
特に、ボールペンにおいては、外装体としての軸本体に比べ、リフィールは使い捨ての部材であるため、廃棄回数が多い。このため、分別廃棄による環境への配慮が求められていた。
【０００６】
本発明は、前記したような事情の下になされたものであり、リフィールの廃棄時において、樹脂製のリフィール本体と金属製のチップ部材との分離が容易にでき、それぞれの分別廃棄を行うことのできるリフィール及びこのリフィールが用いられた筆記具を提供することを目的とする。
【課題を解決するための手段】
【０００７】
上記課題を解決するために、本発明にかかるリフィールは、筆記具の外装体として筒状に形成された軸本体内に、着脱自在に取り付けられるリフィールにおいて、前記リフィールは、筆記材料を収容した樹脂製のリフィール本体と、前記リフィール本体に連結されたペン先としての金属製のチップ部材とを有し、前記ペン先に、リフィール本体の軸方向に対して４５度の方向から５Ｎ以上１５Ｎ以下の荷重が作用することによって、前記リフィール本体と前記チップ部材とを連結する連結部が、変形、破損し、前記リフィール本体と前記金属製のチップ部材とが分離することを特徴としている。
【０００８】
このように構成することによって、リフィールの廃棄時においては、リフィールを軸本体から取り出した状態で、筆記面に対しペン軸を４５°傾け、５Ｎ以上、１５Ｎ以下の荷重で押し付けることにより、前記連結部を変形、破損させて嵌合状態を緩め、チップ部材とリフィール本体とを分離する。
その結果、金属製のチップ部材と樹脂製のリフィール本体との分別廃棄を容易にすることができる。
なお、ここで、５Ｎ以上としたのは、リフィールを軸本体に装着あるいは軸本体から取り外す際に、チップ部材とリフィール本体との連結部が変形、破損し、分離するのを防止するためである。
【０００９】
また、前記リフィール本体と前記チップ部材とを連結する連結部において、前記チップ部材の外周面に段差部が形成され、または前記リフィール本体の内周面と前記チップ部材の外周面の両方に段差部が形成され、前記チップ部材が前記リフィール本体に嵌入、連結されていることが望ましい。
このように、前記チップ部材、またはチップ部材及びリフィール本体に段差部が形成されることにより、ペン先に向けたペン軸方向の引張り荷重によって、リフィール本体からチップ部材が引抜かれるのを防止できる。
【００１０】
また、前記リフィール本体と前記チップ部材とを連結する連結部において、前記リフィール本体には、チップ部材側端部から軸方向に沿って複数の溝部が形成されて、前記チップ部材が前記リフィール本体に嵌入、連結されていることが望ましい。
このように構成することによっても、連結部における軸方向以外の方向への荷重に対する強度を小さくすることができ、リフィールを筆記面に対し傾けて押し付けることで、連結部を容易に変形、破損させることができる。
【００１１】
また、前記リフィール本体と前記チップ部材とを連結する連結部において、前記リフィール本体の先端部には、複数の切り欠き部が形成され、前記チップ部材が前記リフィール本体に嵌入、連結されていることが望ましい。
このように構成することによっても、連結部における軸方向以外の方向への荷重に対する強度を小さくすることができ、リフィールを筆記面に対し傾けて押し付けることで、連結部を容易に変形、破損させることができる。
【００１２】
また、前記リフィール本体と前記チップ部材とを連結する連結部において、前記チップ部材が前記リフィール本体に嵌入されて連結され、前記チップ部材における軸方向の全長のうち、前記連結部により支持されている長さＡと、前記連結部における長さＢとの関係が、Ａ＜０．２５・Ｂであることが望ましい。
このように構成することによっても、リフィールを筆記面に対し傾けて押し付けることで、連結部を容易に変形、破損させることができる。
【００１３】
また、前記リフィール本体は継手部材を備え、前記継手部材に前記チップ部材が連結する連結部において、前記継手部材がポリプロピレンにより形成されることが望ましい。
このように強度の小さいポリプロピレンで構成することによっても、リフィールを筆記面に対し傾けて押し付けることで、連結部を容易に変形、破損させることができる。
即ち、ポリプロピレンは、曲げ強さが低く、変形し易く、またインク等に対する耐薬品性、更に水性インク等における揮発を原料させるための吸湿性といった特性を有しているため、好ましい。
【００１４】
また、上記課題を解決するために、本発明にかかる筆記具は、上記リフィールが用いられた筆記具において、前記軸本体の先端には貫通孔が形成され、前記貫通孔から前記チップ部材の先端部が突出すると共に、チップ部材が前記貫通孔の側壁に支持され、リフィールが軸本体に対し固定されることを特徴としている。
このように構成することにより、リフィールを軸本体に装着した状態においては、チップ部材が支持されリフィールが軸本体に対し固定され、前記連結部に対して軸方向からの荷重のみが作用するため、連結部に変形、破損は生じない。
即ち、リフィール自体に作用した場合に連結部を変形、破損させる荷重が、軸本体に収納されているチップ部材に作用しても、連結部に変形、破損は生じない。
【発明の効果】
【００１５】
本発明によれば、リフィールの廃棄時において、樹脂製のリフィール本体と金属製のチップ部材との分離が容易にでき、それぞれの分別廃棄を行うことのできるリフィール及びこのリフィールが用いられた筆記具を得ることができる。
【発明を実施するための最良の形態】
【００１６】
以下、本発明にかかる実施の形態につき、図に基づいて説明する。図１は、本発明に係る筆記具としてのボールペンの全体構成を示す断面図である。
このボールペン１００は、図１に示すように、外装体として筒状に形成された軸本体３と、この軸本体３の中に装着されたリフィール２とを備えている。
リフィール２は、軸本体３内に着脱自在に取り付けられており、リフィール２を交換する際には、軸本体３のうち、螺合により連結された上部材３ａと下部材３ｂとを緩めて分解することによりなされる。
また、このリフィール２を軸本体３に装着した際には、ボールペンチップ１が、軸本体３の先端に形成された貫通孔３ｃから突出した状態となり、ボールペンチップ１が貫通孔３ｃの側壁に支持されることにより、リフィール２が軸本体３に対しがたつくことなく固定される。
【００１７】
また、リフィール２は、先端に筆記ボール１ａを有するペン先としてのボールペンチップ（チップ部材）１と、このボールペンチップ１に連結されたリフィール本体７とで構成される。さらに、リフィール本体７は、インク６（筆記材料）を内部に収容した樹脂製のチューブ体４と、このチューブ体４と前記ボールペンチップ１とを連結する継手部材５とで構成される。
なお、前記継手部材５は、樹脂により形成され、例えば、ポリプロピレン製であることが好ましい。即ち、ポリプロピレンのように、曲げ強さが低く、変形し易く、インク等に対する耐薬品性、水性インク等の揮発を減量させるための吸湿性といった諸特性を有していることが望ましい。
【００１８】
図２は、図１のボールペンが有するボールペンチップと継手部材との連結部の構造を示す拡大図である。すなわち、図２（ａ）は、ボールペンチップと継手部材の側面図、図２（ｂ）は、その縦断面図、図２（ｃ）は、図２（ａ）のＣ−Ｃ断面図である。
管状の継手部材５において、図２（ａ）、（ｂ）に示す嵌合部５ａが前記チューブ体４と強固に嵌合し、チューブ体４に収容されたインク６が、図２（ｂ）の断面図に示す流路９に供給される。
【００１９】
また、継手部材５における前記嵌合部５ａとは反対側の端部に、ボールペンチップ１が嵌入することにより、継手部材５とボールペンチップ１とが連結されている。その連結部１０において、前記ボールペンチップ１には周面に沿って内方に突出した段差部１ｂが形成されている。この段差部１ｂは、ボールペンチップ１のペン先方向の引張り荷重に対して、前記ボールペンチップ１が継手部材５から脱落しないために、設けられている。
【００２０】
また、前記連結部１０において、継手部材５には、ペン軸方向に沿って複数（図２（ｃ）では４つ）の溝部５ｂが形成されている。この溝部５ｂが形成されることにより、前記連結部１０は、ペン軸方向に沿って加えられる荷重に対しては、耐久性（機械的強度）を維持し、ペン軸方向を除く方向（例えば、４５度方向）からの荷重に対しては耐久性（機械的強度）が低く、変形、破損が生じるようになされている。
尚、図２（ｃ）に示すように４箇所（３箇所以上が望ましい）の溝部５ｂを、継手部材５の軸周りに均等に形成することにより、ペン軸周りの位置に関係なく、ペン先を筆記面に押し付けた際に、応力がいずれかの溝部５ｂに集中し、継手部材５の先端がその溝部５ｂから引き裂かれ、ボールペンチップ１と継手部材５とを容易に分離することができる。
【００２１】
続いて、以上のように構成されたボールペン１００において、リフィール２の交換時及びボールペン使用時での前記連結部１０の作用について説明する。
先ず、リフィール２の交換時における前記連結部１０の作用について説明する。
インク６をすべて消費した後のリフィール２の廃棄時においては、軸本体３からリフィール２を取り出した状態から樹脂製のリフィール本体７と金属製のボールペンチップ１とが分離されて、分別廃棄される。
【００２２】
即ち、図３に示すように、リフィール２の軸を、筆記面に対して例えば４５°の角度に傾け、ボールペンチップ１を筆記面に対し、所定の荷重（１５Ｎ以下が望ましい）で押し付ける。このとき、筆記面に対し、軸が傾斜した状態のボールペンチップ１と継手部材５との連結部１０には、筆記面に対し垂直方向からの荷重が作用する。
このため、継手部材５に形成された溝部５ｂは、ボールペンチップ１の周面に押し付けられながら幅広に裂け（変形、破損等）、ボールペンチップ１と継手部材５との嵌合が緩い状態となる。
その結果、ボールペンチップ１と継手部材５の分離が容易な状態となり、作業車は金属と樹脂との分別廃棄を容易に行うことができる。
【００２３】
また、新たなリフィール２には、インクの揮発を防止するために、ボールペンチップ１の先端に被覆部材（図示せず）が取り付けられている。
そして、この新たなリフィール２を軸本体３に装着する際には、使用者自身で先ず前記被覆部材を取り除く作業が必要となる。その作業の際、前記連結部１０には、前記被覆部材を引き抜く方向（ペン軸方向）に荷重が加わる。しかしながら、ボールペンチップ１には前記段差部１ａが形成されているため、前記荷重による前記連結部１０の分離に対する抑止力が働き、ボールペンチップ１と継手部材５との分離を防ぐことができる。
このときの引抜き力は、一般的に最大１０Ｎ程度であるため、ボールペンチップ１と継手部材５とが、１０Ｎ以上の引抜き抵抗力をもって、嵌合するように構成するのが好ましい。
【００２４】
また、ボールペン１００使用時については、前記したように、前記リフィール２は、ボールペンチップ１が軸本体３の先端に形成された貫通孔３ｃの側壁に支持されるため、がたつくことが無い。
すなわち、ペン使用時において、ボールペンチップ１と継手本体５との連結部１０に対しては、ペン先からペン軸方向に沿った荷重が作用する。図２に示した継手部材５に形成された溝部５ｂはペン軸方向に沿って形成されているため、ペン軸方向からの荷重に対しては、破損、変形することなく、耐久性（機械的強度）が維持される。したがって、ペン使用中においては、ボールペンチップ１との連結部１０が破損することはない。
【００２５】
以上のように、本発明に係る一実施形態によれば、ボールペンチップ１と継手部材５（リフィール本体２）との連結部１０は、ペン軸方向からの荷重には、破損、変形が起こり難く、耐久性が高く、ペン軸方向以外からの荷重には、破損、変形し易く形成されている。
したがって、リフィール２の廃棄時においては、リフィール２を軸本体３から取り出し、筆記面に対しペン軸を４５度傾けた状態で、１５Ｎ以下の荷重で押し付けることにより、前記連結部１０における嵌合状態を緩め、容易にボールペンチップ１と継手部材５とを分離することができる。
その結果、金属製のボールペンチップ１と樹脂製のリフィール本体７とを容易に分別廃棄することができる。
【００２６】
なお、前記実施の形態においては、図２に示したように、ボールペンチップ１に段差部１ａが形成された例を示したが、ペン先方向に荷重が作用する状況がないものには、図４に示すように、前記段差部を形成しなくてもよい。尚、図４（ａ）は、ボールペンチップと継手部材の側面図、図４（ｂ）は、その縦断面図、図４（ｃ）は、図４（ａ）のＣ−Ｃ断面図である。
【００２７】
また、図５に示すように、前記連結部１０において、継手部材５が肉薄となるように、その周面に段差部５ｃを形成し、さらにその先端に複数の切り欠き部５ｄを形成してもよい。尚、切り欠き部５ｄは、少なくとも３箇所以上が望ましい。
このように、段差部５ｃによって、継手部材５の先端が肉薄となるため、ペン軸方向以外からの荷重に対して、破損、変形し易い。
また、３箇所以上の切り欠き部５ｂを軸周りに均等に形成することにより、ペン軸周りの位置に関係なく、ペン先を筆記面に押し付けた際に、応力がいずれの切り欠き部５ｂに集中し、継手部材５の先端が切り欠き部５ｂから引き裂かれ、ボールペンチップ１と継手部材５とを、容易に分離することができる。
【００２８】
また、図６に示すように、ボールペンチップ１と継手部材５との連結部１０の長さＢと、連結部により支持されるボールペンチップ１の長さＡとの関係が、Ａ＜０．２５・Ｂとなるように形成しても良い。
このように形成することによって、連結部１０におけるペン軸方向の長さが短いため、ペン軸方向以外からの荷重によって継手部材５を破損、変形させることができ、ボールペンチップ１を継手部材５から、容易に分離することができる。
【００２９】
尚、図示しないが、図２、図４、図５、図６に示した形態のいずれか同士を組み合わせて、前記連結部１０を構成してもよい。すなわち、連結部１０の構造が、ペン軸方向からの荷重に対しては、変形、破損することなく、ペン軸方向以外からの荷重（例えば、４５度方向からの荷重）によって、容易に変形、破損する構造であればよい。
【００３０】
また、前記実施の形態においては、筆記具としてボールペンを例にしたが、これに限らず、シャープペンシル等にも本発明に係る筆記具を適用することができる。
【実施例】
【００３１】
続いて、本発明に係る筆記具について、実施例に基づき、さらに説明する。
本発明に係る筆記具において、リフィール本体とボールペンチップとを分離させるに適した荷重の値について検討するため、従来構成のリフィールを用い、実験を行った。
この実験においては、被験者に対し、リフィールを筆記面に対し４５°程度に傾け、筆記面に対し押し付けるよう指示し、その場合の荷重の値を測定した。
尚、その際、継手部材とボールペンチップとを分離させるつもりで押し付けるよう指示した。また、より強く押し付けるよう指示し、その荷重の値を測定した。さらに、前記リフィールを用い、被験者に対し、直径３ｃｍ程度の螺旋を筆記するよう指示し、そのときの筆記圧を測定した。
【００３２】
被験者は、女性３名、男性３名の計６名とした。また、本実験に用いた従来構成のリフィールは、筆記面に対して傾けた状態でペン先を筆記面に強く押し付けても、実際にはリフィール本体とボールペンチップとが分離しないものを使用した。表１に本実験の結果を示す。
【００３３】
【表１】
2006001047.tif 000003
【００３４】
本実験の結果、本発明に係る筆記具において、リフィールを傾け、普通に（連結部を分離させるつもりで）筆記面に押し付け、無理なくリフィール本体とボールペンチップ（チップ部材）とを分離させるための荷重は、１５Ｎ以下が望ましいと考察された。
但し、個人差を考慮して、より軽く押し付けて容易に分離させるためには、１０Ｎ程度以下が好ましいと考察された。
【００３５】
また、ボールペンチップと継手部材とを分離させるつもりで押し付けた際の荷重値と筆記圧とが略同じ範囲であることから、例えば１５Ｎ以下でボールペンチップと継手部材とが分離するリフィール構造の場合、リフィールを軸本体に装着しない状態では、当然普通に筆記することはできないと考えられる。
したがって、実際にボールペンを使用する状態、すなわち、リフィールを軸本体に装着した状態では、本実施で説明したように、ペン軸方向からの荷重のみがボールペンチップと継手部材の連結部に加わるよう構成する必要があると考察された。
【００３６】
以上の実施例の結果から、本発明に係る筆記具によれば、使用時においてはペン先での分解、破損等が生じることなく使用でき、また、リフィールの破棄時においては、容易に金属製のチップ部材と樹脂製のリフィール本体とを分離して分別破棄することができることを確認した。
【産業上の利用可能性】
【００３７】
本発明にかかる筆記具は、外装体としての軸本体と、前記軸本体内に着脱自在に形成されたリフィールとを備えた筆記具に好適に用いることができる。
【図面の簡単な説明】
【００３８】
【図１】図１は、本発明に係る筆記具としてのボールペン全体構成を示す断面図である。
【図２】図２は、図１のボールペンが有するボールペンチップと継手部材との連結部の構造を示す拡大図である。
【図３】リフィールの軸を筆記面に対して略４５°の角度に傾け、ボールペンチップを筆記面に対し所定の荷重で押し付ける状態を示す図である。
【図４】図４は、図１のボールペンが有するボールペンチップと継手部材との連結部の別の構造を示す拡大図である。
【図５】図５は、図１のボールペンが有するボールペンチップと継手部材との連結部の別の構造を示す拡大図である。
【図６】図６は、図１のボールペンが有するボールペンチップと継手部材との連結部の別の構造を示す拡大図である。
【図７】従来のリフィールの構成を示す図である。
【図８】図７のリフィールのボールペンチップと継手部材との連結部の構造を示す拡大図である。
【符号の説明】
【００３９】
１      ボールペンチップ（チップ部材）
１ａ    筆記ボール
１ｂ    段差部
２      リフィール
３      軸本体
３ｃ    貫通孔
４      チューブ本体
５      継手部材
５ｂ    溝部
５ｃ    段差部
５ｄ    切り欠き部
６      インク（筆記材料）
７      リフィール本体
１０    連結部
１００  ボールペン（筆記具）
Ａ      ボールペンチップ（チップ部材）において、連結部より支持される部位の長さ
Ｂ      ボールペンチップ（チップ部材）において、連結部における長さ
【図１】
2006001047.tif 000004
【図２】
2006001047.tif 000005
【図３】
2006001047.tif 000006
【図４】
2006001047.tif 000007
【図５】
2006001047.tif 000008
【図６】
2006001047.tif 000009
【図７】
2006001047.tif 000010
【図８】
2006001047.tif 000011